(57)【要約】【課題】ＵＳＢメモリ等の記録媒体を複合機等の画像形成装置に差し込んだまま、取り忘れることにより起きるデータの流出を防ぐための技術を提供する。【解決手段】  複合機において、ＵＳＢメモリが挿入されたことを認識すると、ＵＳＢメモリ内のデータを複合機の有する記憶装置へと転送する（ステップＳ１０６）。その後、ユーザ認証に成功すれば、記憶装置からＵＳＢメモリへとデータを戻すことも可能である。【選択図】図３
2009284286.tif 000002
【特許請求の範囲】
【請求項１】
画像を用紙上に印刷する印刷部と、
記録媒体が取り外し可能に装着される装着部と、
上記装着部に装着された上記記録媒体内のデータを取得するデータ取得部と、
上記データ取得部がデータを取得すると、上記記録媒体内の上記データを消去するデータ消去部と、
上記印刷部に、上記データ取得部が取得したデータを印刷させることのできる印刷制御部と、
を備える画像形成装置。
【請求項２】
上記データ消去部は、上記記録媒体内の全てのデータを消去するようになっている、
請求項１に記載の画像形成装置。
【請求項３】
データを記憶可能な記憶装置をさらに備え、
上記データ取得部は、上記記録媒体から取得したデータを上記記憶装置に記憶させるようになっている、
請求項１又は２に記載の画像形成装置。
【請求項４】
上記データ取得部は、上記記録媒体内の全てのデータを取得して上記記憶装置に記憶させるようになっている、
請求項３に記載の画像形成装置。
【請求項５】
上記記録媒体から消去され、かつ上記記憶装置に記憶されているデータを、上記記録媒体へ戻す、データ復帰部をさらに備える、
請求項４に記載の画像形成装置。
【請求項６】
ユーザの操作を受け付ける操作受付部をさらに備え、
上記データ復帰部は、上記操作受付部が、ユーザから所定の操作を受け付けたときに、上記データを上記記録媒体へ戻すようになっている、
請求項５に記載の画像形成装置。
【請求項７】
ユーザ認証を行うユーザ認証部をさらに備え、
上記データ取得部は、上記記録媒体から取得した上記データと、上記データの所有者のユーザ情報とを関連付けて、上記記憶装置に記憶させるようになっており、
上記操作受付部はユーザ情報の入力を受け付けるようになっており、
上記ユーザ認証部は、入力されたユーザ情報が、上記データと関連付けられたユーザ情報と一致するかどうかを判断できるようになっており、
上記データ復帰部は、上記記憶装置内の上記データのうち、関連付けられたユーザ情報が入力されたユーザ情報と一致すると上記ユーザ認証部に判断されたものを、上記記録媒体に戻すようになっている、
請求項６に記載の画像形成装置。
【請求項８】
外部装置にデータを送信する送信装置をさらに備え、
上記データ取得部は、少なくとも上記送信装置によるデータ送信に必要なデータを取得するようになっている、
請求項１〜７のいずれか１項に記載画像形成装置。
【発明の詳細な説明】
【技術分野】
【０００１】
本発明は、外部記録媒体からデータを取得可能な画像形成装置に関する。
【背景技術】
【０００２】
近年、ＵＳＢメモリ等の記録媒体を接続可能な画像形成装置が提案されている。しかし、このような画像形成装置では、記録媒体の抜き忘れが起きることがあり、それによってデータ流出が起きる危険がある。
【０００３】
特許文献１には、プリント開始キーであるスタートキーが押下され、ＵＳＢメモリが差込口に接続された状態で一定時間経過すると、プリントを実行せずにＵＳＢメモリを抜くようにとの警告を表示するＭＦＰ（Multi Function Peripheral）が記載されている。
【特許文献１】特開２００６‐１０７３７６号公報（図７等）
【発明の開示】
【発明が解決しようとする課題】
【０００４】
従来の技術では、記録媒体内のデータのプリントアウト等は防げても、第３者が記録媒体を持ち去ってその中のデータを利用することを防ぐことはできなかった。そのため、データ流出をより厳密に防ぐことのできる技術が求められている。
【０００５】
そこで、本発明は、画像形成装置に装着されたままで放置された記録媒体からのデータ流出を防ぐことのできる技術を提供することを目的とする。
【課題を解決するための手段】
【０００６】
請求項１の画像形成装置は、画像を用紙上に印刷する印刷部と、記録媒体が取り外し可能に装着される装着部と、上記装着部に装着された上記記録媒体からデータを取得するデータ取得部と、上記データ取得部がデータを取得すると、上記記録媒体内の上記データを消去するデータ消去部と、上記印刷部に、上記データ取得部が取得したデータを印刷させることのできる印刷制御部と、を備える。
【０００７】
この画像形成装置によると、画像形成装置に装着された記録媒体から、データが消去される。よって、ユーザが記録媒体を画像形成装置に装着したまま放置したときの、データの流出を防止することができる。
【０００８】
また、請求項２に記載するように、請求項１の画像形成装置において、上記データ消去部は、上記記録媒体内の全てのデータを消去するようになっていてもよい。
【０００９】
また、請求項３に記載するように、請求項１又は２のいずれか１項に記載の画像形成装置は、データを記憶可能な記憶装置をさらに備えていてもよい。そして、この場合において、上記データ取得部は、上記記録媒体から取得したデータを上記記憶装置に記憶させるようになっていてもよい。
【００１０】
また、請求項４に記載するように、請求項３の画像形成装置において、上記データ取得部は、上記記録媒体内の全てのデータを取得して上記記憶装置に記憶させるようになっていてもよい。
【００１１】
また、請求項５に記載するように、請求項４の画像形成装置は、上記記録媒体から消去されかつ上記記憶装置に記憶されているデータを上記記録媒体へ戻す、データ復帰部をさらに備えてもよい。
【００１２】
また、請求項６に記載するように、請求項５の画像形成装置は、ユーザの操作を受け付ける操作受付部をさらに備え、上記データ復帰部は、上記操作受付部が、ユーザから所定の操作を受け付けたときに、上記データを上記記録媒体へ戻すようになっていてもよい。
【００１３】
また、請求項７に記載するように、請求項６の画像形成装置は、ユーザ認証を行うユーザ認証部をさらに備え、上記データ取得部は、上記記録媒体から取得した上記データと、上記データの所有者のユーザ情報とを関連付けて、上記記憶装置に記憶させるようになっており、上記操作受付部はユーザ情報の入力を受け付けるようになっており、上記ユーザ認証部は、入力されたユーザ情報が、上記データと関連付けられたユーザ情報と一致するかどうかを判断できるようになっており、上記データ復帰部は、入力されたユーザ情報が、関連付けられたユーザ情報と一致すると上記ユーザ認証部に判断されたデータを、上記記録媒体に戻すようになっていてもよい。
【００１４】
また、請求項８に記載するように、請求項１〜７のいずれかの画像形成装置は、外部装置にデータを送信する送信装置をさらに備え、上記データ取得部は、少なくとも上記送信装置によるデータ送信に必要なデータを取得するようになっていてもよい。
【発明の効果】
【００１５】
本発明の画像形成装置によると、画像形成装置に装着された記録媒体から、データが消去される。よって、ユーザが記録媒体を画像形成装置に装着したまま放置したときの、データの流出を防止することができる。
【発明を実施するための最良の形態】
【００１６】
〔１〕第１実施形態
以下、本発明の実施の一形態として、プリンタ、コピー機、ファクシミリ機としての機能を有する所謂複合機（ＭＦＰ、Multi Function Peripheral）１を挙げて説明する。なお、複合機以外にも、プリンタ、コピー機、ファクシミリ機の各機能を単独で備える装置についても、本発明を適用可能である。
【００１７】
（1-1）複合機１の概要
図１を参照して、複合機１の構成の概略について説明する。図１は、複合機１の要部構成を示すブロック図である。
【００１８】
図１に示すように、複合機１は、スキャナ２、記憶装置３、印刷部４、画像処理部５、通信装置６、操作パネル７、複合機側端子８２、接続検出部８３、タイマ８４、ＣＰＵ（Central Processing Unit）９１、ＲＯＭ（Read Only Memory）９２、及びＲＡＭ（Random Access Memory）９３等を備え、これらの機能部は、データバス１０によって接続されている。また、複合機１は、これらの部材を内部に収容するハウジングを備え、そのハウジング外から複合機側端子８２に至る差込口８１を備える。複合機１はさらに、コンタクトガラス及び原稿搬送装置をさらに備える（図示せず）。
【００１９】
スキャナ２は、コンタクトガラス上に載置された原稿、又は原稿搬送装置によって搬送される原稿を読み取る装置である。具体的にはスキャナ２は、ＣＣＤ（Charge-coupled device）等のイメージセンサ、及び、イメージセンサからから出力されたアナログ信号をデジタル化するＡＤコンバータ等を備える。これらの部材を備えることで、スキャナ２は、原稿上の画像を読み取って画像データを取得する。
【００２０】
記憶装置３は種々のデータを記憶可能な記録媒体である。記憶装置３が記憶するデータとしては、例えばスキャナ２の取得した画像データファイル、及び外部装置から得た画像データファイル等を挙げることができる。記憶装置３は一時的な記憶用にＲＡＭ（Read Only Memory）等の揮発性メモリを、長期の記憶用にＨＤＤ等の不揮発性メモリを備える。
【００２１】
印刷部４は、制御装置８の制御の下、画像データに基づいて、用紙上に画像を印刷することができる。印刷部４としては、インクジェット記録装置又は電子写真式記録装置等が好適に用いられる。なお、「画像」とは、図、写真、文字、及び記号等の情報を含む。
【００２２】
画像処理部５は、記憶装置３から受け取った画像データを送信用画像データに変換したり、通信装置６が外部装置から受信したＰＤＬ（Page Description Language）をラスタライズしたりすることができる。ラスタライズされた画像データは、記憶装置３で記憶可能である。
【００２３】
通信装置６は、ネットワーク通信部６１及びファクシミリ通信部６２等を備える。
【００２４】
ネットワーク通信部６１は、インターネット又はＬＡＮ等を介して外部装置と電子データのやり取りをするインターフェースを含む。ネットワーク通信部６１は、具体的にはクライアント‐サーバシステム等のファイルシステムプロトコルによって、外部装置と電子ファイルの共有及び転送等を行ったり、外部装置と電子メールの送受信を行ったりすることができる。
【００２５】
ファクシミリ通信部６２は、モデム（ＭＯＤＥＭ：MOdulator/DEModulator）等を備え、Ｇ３（Group3）規格やＧ４（Group4）規格等に準拠して、ファクシミリの送受信を行うことができる。
【００２６】
操作パネル７は、タッチパネル７１、ハードキー７２等を備え、ユーザの操作を受け付けることができる。タッチパネル７１は、液晶表示パネル等の表示パネル７１１、及び表示パネルと重ねられたタッチセンサ７１２を備える。タッチパネル７１は、制御装置８の制御の下で表示パネル７１１によって種々の画面を表示することで、ユーザに情報を与えたり、ソフトキーを介した操作入力を受け付けたりすることができる。ハードキー７２には、機能選択キー、テンキー、キャンセルキー、スタートキー等のキーが含まれる。機能選択キーとは、複合機の機能である、ボックス、コピー、スキャナ、送信（データ転送、メール送信、ファクシミリ送信を含む）のいずれかを選択するためのキーである。このように、タッチセンサ７１２及びハードキー７２は、ユーザからの入力を受け付ける入力受付部として機能する。
【００２７】
差込口８１及び複合機側端子８２は、ＵＳＢメモリ１００に対する装着部として機能する。ＵＳＢメモリ１００は、本体１０１とコネクタ１０２とを備える。差込口８１は、ＵＳＢメモリ１００のコネクタ１０２が挿入可能に形成されている。複合機側端子８２は、差込口８１に挿入されたコネクタ１０２内のメモリ側端子と接続可能に配置される。
【００２８】
接続検出部８３は、複合機側端子８２を介して複合機１にＵＳＢメモリ１００が接続したことを検出することができる。
【００２９】
タイマ８４は、所定時間の計測が可能である。
【００３０】
ＣＰＵ９１は、ＲＯＭ９２内のプログラムを読み出して実行することで、複合機１の各部の動作を制御することができる。ＲＡＭ９３は、ＣＰＵ９１の作業領域として機能する。
【００３１】
（1-2）データ流出防止機能
図２〜図４を参照して、複合機１の有するデータ流出防止機能について説明する。図２はデータの流れを示す図面であり、図３は処理の流れを示すフローチャートであり、図４は図３の処理中に表示パネル７１１に表示される画面の１つである。図２中の矢印のうち、実線は画像等のデータファイルの送信を示し、点線はその他の情報及び制御信号を示す。
【００３２】
図２に示す表示制御部９０１、ユーザ認証部９０２、タイマ制御部９０３、ログイン管理部９０４、データ転送部９０５、ジョブ実行制御部９０６は、ＣＰＵ９１により実現される。
【００３３】
また、ユーザ情報保存部３１及びデータボックス３２は、記憶装置３の不揮発性領域に設けられる。ユーザ情報保存部３１は、個々のユーザについて、ユーザ情報、すなわち、ユーザ名、ＩＤ、パスワード等を記憶可能である。ユーザ情報は、操作パネル７及びネットワーク通信部６１等を介して入力され、ＣＰＵ９１の制御によってユーザ情報保存部３１内に格納され、管理される。データボックス３２は、画像データ、文字データ等のデータファイルを記憶することができる。
【００３４】
ユーザから何らかの動作を求められたとき、図３に示す動作が開始される。動作開始のトリガとしては、タッチセンサ７１２又はハードキー７２によるユーザの接触の検出、及び接続検出部８３によるＵＳＢメモリ１００の接続の検出が挙げられる。
【００３５】
図２及び図３に示すように、表示制御部９０１は操作パネル７の表示パネル７１１に、ログイン画面Ｗ１を表示させる（ステップＳ１０１）。図４に示すように、ログイン画面Ｗ１は、ＩＤ及びパスワードを要求するメッセージと、ＩＤ及びパスワードの入力欄Ｃ１を含む。ユーザ認証部９０２は、ログイン画面Ｗ１による受付内容と、ユーザ情報保存部３１内の情報とを比較する（ステップＳ１０２）。
【００３６】
ユーザ認証部９０２の判断結果が“一致”であれば、ログイン管理部９０４は、ユーザのログインを許可し、複合機１の印刷、通信等の動作実行を可能にする（ステップＳ１０２でＹｅｓ→Ｓ１０３）。また、ログインと同時に、タイマ制御部９０３が、タイマ８４によるカウントアップをスタートさせる（Ｓ１０４）。
【００３７】
ユーザ認証部９０２の判断結果が“不一致”であれば、複合機１の各種動作は実行されることなく、処理は終了される（ステップＳ１０２でＮｏ）
ログイン中に、ＵＳＢメモリ１００が差込口８１に挿入されたことを接続検出部８３が検出すると、データ転送部９０５が、ＵＳＢメモリ１００内のフラッシュメモリ１１０からデータボックス３２へ、データの転送を行う（ステップＳ１０５でＹｅｓ→Ｓ１０６）。
【００３８】
具体的には、データ転送部９０５は、ＵＳＢメモリドライバ９０５ａ及びボックス制御部９０５ｂを備える。本実施形態では、ステップＳ１０６にて、ボックス制御部９０５ｂが、ＵＳＢメモリ１００のフラッシュメモリ１１０内の全てのデータファイルを、データボックス３２内に保存する。このとき、データファイルは、ステップＳ１０２で認証したユーザ名等のユーザ情報と関連付けて保存される。データボックス３２が各ユーザ専用のフォルダを備えていれば、ユーザ情報と関連付けたデータフォルダの保存とは、ログイン中のユーザ専用のフォルダにデータファイルを保存することであってもよい。こうして保存されたデータファイルは、ＣＰＵ９１の制御によって、ユーザ認証部９０２によるユーザ認証を経たユーザでなければアクセスできないように管理される。
【００３９】
データボックス３２へのデータファイルの保存が完了すると、ＵＳＢメモリドライバ９０５ａは、フラッシュメモリ１１０内の全てのデータファイルを削除する。つまり、フラッシュメモリ１１０内の全てのデータファイルは、データボックス３２内に移動される。このように、複合機１において、ＵＳＢメモリ１００が挿入されると、ＵＳＢメモリ１００の有するデータファイルは、自動的に複合機１内に移動される。
【００４０】
なお、移動の対象となる「全てのデータファイル」とは、ＵＳＢメモリ１００のうち、外部から書込み可能な領域に保存されているデータであり、ＲＯＭ領域のデータは含まれない。つまり、「全てのデータファイル」とは、画像、文書等、ＵＳＢメモリ１００からデータボックス３２へ移動可能なデータを指すのであって、ＵＳＢメモリ１００内に格納されているデータであっても、ＵＳＢコントローラのプログラム等、移動不可能なものを、ここで言う「全てのデータ」が含む必要はない。
【００４１】
操作パネル７には、表示制御部９０１の制御により、種々の画面が表示され、ユーザはこれらの画面を介して、複合機１に、印刷や送信等のジョブの依頼、ジョブの対象となる画像の指定等を行うことができる。ユーザは、ＵＳＢメモリ１００からデータボックス３２に移動したファイル、又はそれ以外のファイルを、ジョブの対象として指定することができる。
【００４２】
ユーザからの指示を受けて、ジョブ実行制御部９０６は、印刷部４又は通信装置６にジョブを実行させる（ステップＳ１０７）。ＵＳＢメモリ１００が挿入されなければデータ転送は行われずに、ジョブが実行される（ステップＳ１０５でＮｏ→Ｓ１０７）。
【００４３】
ジョブ完了後、操作パネル７を介してユーザがログオフ操作を行うか、又はタイマ８４がカウントアップとなれば、ログイン管理部９０４は、ユーザがログオフしたものとして、印刷部４や通信装置６等の機能（通信装置６については送信機能のみ）を停止させる（ステップＳ１０８又はＳ１０９でＹｅｓ→Ｓ１１０）。そして、タイマ制御部９０３はタイマ８４をリセットし、次のログインに備える（Ｓ１１１）。ログオフ操作とは、ソフトキー又はハードキーとしてのログオフキーを押下する等の所定の操作である。また、他のユーザのログインによっても、直近のユーザはログオフしたものとして処理される。ログオフ操作もカウントアップもされなければ、ログイン状態が維持される。
【００４４】
（1-3）データ復帰
複合機１は、ＵＳＢメモリ１００から削除されたデータを、復帰させることができる。図５のフローチャートを参照して、データの復帰処理について説明する。
【００４５】
操作パネル７は、ハードキー又はソフトキーからなるＵＳＢ取り外しキーを備える。ＵＳＢメモリ１００が差込口８１に差し込まれた状態で、このＵＳＢ取り外しキーが押下されると、ＵＳＢメモリ取り出し指示がされたものとして、表示制御部９０１は、図４のログイン画面Ｗ１を表示させることで、ユーザにＩＤ及びパスワードの入力を要求する（ステップＳ２０１でＹｅｓ→Ｓ２０２）。
【００４６】
ユーザ認証部９０２は、図３で説明した通常のログイン時のユーザ認証の他に、ファイルユーザ認証を行うことができる（ステップＳ２０３）。ファイルユーザ認証とは、ステップＳ２０２の要求で入力されたユーザ情報と、データボックス３２内に保存されているデータフォルダと関連付けられたユーザ情報とが、一致するかどうかを判断することである。
【００４７】
ユーザ情報が一致すれば、ログイン管理部９０４は、複合機１からＵＳＢメモリ１００へのデータ転送部９０５によるデータ転送を許可する（ステップＳ２０３でＹｅｓ）。そして、表示制御部９０１は、表示パネル７１１に、データ転送中であるため、ＵＳＢメモリ１００を取り外さないように指示するメッセージを表示させる（ステップＳ２０４）。そして、図３の処理とは逆方向、つまりデータボックス３２からフラッシュメモリ１１０へ、認証されたユーザと対応するデータフォルダが転送される（ステップＳ２０５）。このときも、図３の処理と同様にデータフォルダは「移動」される。つまり、データファイルは、ＵＳＢメモリドライバ９０５ａによりフラッシュメモリ１１０内に保存されることで復帰し、復帰したデータフォルダは、ボックス制御部９０５ｂによりボックス３２内から削除される。
【００４８】
データ転送が完了すると、表示制御部９０１は、データ転送が完了したので、ＵＳＢを取り外すことができる旨、表示パネル７１１に表示させる（ステップＳ２０６）。
【００４９】
一方、ＵＳＢメモリ取り出し指示がされないか（ステップＳ２０１でＮｏ）、又はファイルユーザ認証（ステップＳ２０３）で入力内容とファイルのユーザ情報とが一致しなければ、データの復帰は行われることはない。
【００５０】
以上のように、複合機１は、装着されたＵＳＢメモリ１００内のデータを削除するので、仮にユーザがＵＳＢメモリ１００を持ち帰るのを忘れても、第３者にＵＳＢメモリ１００内のデータを利用されるのを防ぐことができる。また、ユーザ認証に成功したときはＵＳＢメモリ１００へデータを復帰させることができるので、ＵＳＢメモリ１００から削除したデータの持ち主は、データを取り戻すことができる。
【００５１】
〔２〕その他の実施形態
以下、本発明の他の実施形態について説明する。各実施形態における複合機のハードウェア構成は、第１実施形態のそれと同様であるので、以下の説明において、図１及び図２等を参照することがある。
【００５２】
（2-1）データ消去処理の他の態様
ａ）第２実施形態
ＵＳＢメモリ１００内のファイルについて、ステップＳ１０６において、移動ではなく、「削除」のみが行われてもよい。
【００５３】
この場合、ジョブ実行にＵＳＢメモリ１００内のデータファイルを用いるのであれば、そのデータファイルをジョブ実行用に確保する必要がある。例えば、ＵＳＢメモリ１００内のファイルのうち、図２に示すファイル１１０ａのみがジョブ対象としてユーザの指定を受けた場合は、下記（１）〜（３）のいずれかのタイミング：
（１）ファイル１１０ａが記憶装置３内の揮発性領域に記憶された後、
（２）印刷部４又は通信装置６等のジョブ実行部がジョブ実行に必要なデータ（例えば、送信用データ等）を取得した後、又は
（３）ジョブ完了後
で、２つのファイル１１０ａ及び１１０ｂが、ＵＳＢメモリドライバ９０５ａによって削除される。このとき、記憶装置３内に記憶されたファイル１１０ａは、ジョブ完了後にすみやかに削除される。
【００５４】
ｂ）第３実施形態
第１実施形態では、画像読取装置１は、ログイン／オフにかかわらず、ＵＳＢ取り出し指示があると、ＩＤ及びパスワードのユーザ情報を要求するようになっているが、これに代えて、ログオフ状態にあるときにのみ、ユーザ情報を要求するようになっていてもよい。
【００５５】
例えば本実施形態では、図５の処理に代えて、図６の処理が行われる。図６に示すように、ＵＳＢメモリ１００の取り出し指示を受けたときに、データボックス３２内に転送されたデータファイルのユーザのログイン状態が維持されていれば（ステップＳ３０１及びＳ３０２でＹｅｓ）、表示パネル７１１を介したユーザ情報の入力を要求が行われることなく、上述のステップＳ２０４〜Ｓ２０６と同様の動作によってデータファイルの復帰が実行される（ステップＳ３０４〜Ｓ３０６）。
【００５６】
なお、データ復帰が行われるのは、ログイン状態にあるユーザが、データボックス３２に直近に転送されたデータファイルのユーザと一致する場合に限られない。つまり、ユーザＸのＵＳＢメモリからデータ転送が行われた後に、他のユーザＹのＵＳＢメモリからのデータ転送が行われた場合、ユーザＸが再びログインしてＵＳＢメモリを挿入すれば、データ転送部９０５によって、ユーザＸのデータファイルがこのＵＳＢメモリに転送される。つまり、ステップＳ３０２は、「ログイン中のユーザに対応するファイルが、データボックス内に存在するか？」という判断であると言い換えることもできる。
【００５７】
また、本実施形態において、データボックス３２内に転送されたデータファイルのユーザがログオフしていれば、上述のステップＳ２０２〜Ｓ２０３と同様の動作によって、ユーザ認証が行われ、認証に成功すればデータファイルが復帰される（ステップＳＳ３０２でＮｏ→Ｓ３０７→Ｓ３０８でＹｅｓ→Ｓ３０４〜３０６）。つまり、いずれのユーザもログインしていないか、ログインしているユーザに対応するデータファイルがデータボックス３２内に存在しなければ、データ復帰は行われない。
【００５８】
ＵＳＢメモリ１００の取り出し指示が無ければ、またユーザ認証が成功しなければ、データファイルの復帰は行われずに、処理は終了となる（ステップＳ３０１でＮｏ又はＳ３０８でＮｏ）。
【００５９】
以上のように、上記「ログオフ状態にあるときにのみ」、とは、いずれのユーザもログインしていない状態、及び、ログインしているユーザがデータファイルに対応するユーザでないとき、の両方を含む。
【００６０】
ｃ）第４実施形態
上述のいずれの実施形態においても、複合機１は、ＵＳＢメモリ１００が正規の手続を経ずに取り外された場合に、データが消去済みであることをユーザに報知できるようになっていてもよい。
【００６１】
例えば、図７の処理では、指示無くＵＳＢメモリ１００が取り外された場合、表示制御部９０１は、表示パネル７１１に、ＵＳＢメモリ１００を再挿入するように促すメッセージを表示させる（ステップＳ４０１でＹｅｓ→Ｓ４０２）。そして、ＵＳＢメモリ１００が再挿入されれば、上述の図５又は図６のフローにおいて、それぞれステップＳ２０２又はステップＳ３０２以後の処理が行われる（ステップ４０３でＹｅｓ→端子ｉ）。ＵＳＢメモリが再挿入されなければ、いずれの処理も行われない（ステップＳ４０１又はＳ４０３でＮｏ）
ｄ）その他
削除（移動を含む。以下同様。）が行われるのは、ＵＳＢメモリ１００内の全てのデータとは限らない。例えば、文書データ、画像データ、音声データ等、データの種類によって移動するかしないかが設定されていてもよい。この場合、フラッシュメモリ１１０内のファイル１１０ａは移動されて、ファイル１１０ｂは移動されない、というように、フラッシュメモリ１１０内にファイルが残されることがある。
【００６２】
また、ジョブ対象としてユーザが指定したファイルのみが削除されてもよい。この場合、ＵＳＢメモリ１００が挿入され、さらにユーザによりジョブ対象が指定され、ジョブ実行に必要なデータファイルを取得した後、データファイルの削除が行われる。
【００６３】
なお、以上の実施形態で挙げたＵＳＢメモリ１００は、複合機等の画像形成装置に着脱可能な記録媒体の一例に過ぎない。また、以上の実施形態では、ＵＳＢメモリ等の記録媒体内にデータを復帰させるときに、ユーザ情報の入力をユーザに求めるものとしたが、これ以外の操作をユーザに要求してもよい。
【００６４】
以上の説明から明らかなように、データ転送部９０５は、データ取得部として、画像形成装置に装着された記録媒体からデータを取得すると共に、この記録媒体からデータを削除するデータ消去部としても機能する。また、データ転送部９０５は、記録媒体にデータを復帰させるデータ復帰部としても機能する。
【００６５】
データ取得部が取得するデータは、少なくともジョブの対象となるデータを含んでいればよく、記録媒体内の一部又は全部のデータであり得る。また、「取得」とは、一時的又は長期的のいずれであるかを問わず、データを得ることを意味する。
【００６６】
データ消去部は、データ取得部によるデータ取得が完了すれば、ユーザからの指示を要することなく、記録媒体内のデータを消去することができる。
【００６７】
データ復帰部は、消去されたデータのうち、一部好ましくは全部を記憶媒体に戻すようになっている。
【００６８】
上述の各実施形態を組み合わせて得られる技術についても、本発明の実施形態に含まれることは言うまでもない。また、いずれの実施形態においても、装着された記録媒体内のデータの流出を防ぐことができれば、データの削除及び保存について、具体的なステップの順序を変更したり、他のステップを加えたりする修飾を加えることは可能である。
【図面の簡単な説明】
【００６９】
【図１】本発明の実施の一形態にかかる複合機１の要部構成を示すブロック図。
【図２】ＵＳＢメモリ１００挿入時の複合機１におけるデータの流れを示す図面。
【図３】複合機１におけるＵＳＢメモリ１００からのデータ消去処理の動作の流れを示すフローチャート。
【図４】図３等の処理において表示されるログイン画面Ｗ１を示す図面。
【図５】データ復帰処理の流れの一例を示すフローチャート。
【図６】データ復帰処理の流れの他の例を示すフローチャート。
【図７】データ復帰処理の流れのさらに他の例を示すフローチャート。
【符号の説明】
【００７０】
１      複合機
２      スキャナ
３      記憶装置
４      印刷部
５      画像処理部
６      通信装置
７      操作パネル
９１    ＣＰＵ
９２    ＲＯＭ
９３    ＲＡＭ
８１    差込口
８２    複合機側端子
８３    接続検出部
１００  ＵＳＢメモリ
１０１  本体
１０２  コネクタ
【図１】
2009284286.tif 000003
【図２】
2009284286.tif 000004
【図３】
2009284286.tif 000005
【図４】
2009284286.tif 000006
【図５】
2009284286.tif 000007
【図６】
2009284286.tif 000008
【図７】
2009284286.tif 000009